(57)【要約】【課題】交換する遊技盤や前面扉の意匠性の自由度を拡大でき、かつコストを削減できる遊技機を提供する。【解決手段】本体枠３に遊技盤ユニット２５を固定した後、第１軸４２を第１軸受部４０の軸受孔４１に挿入し、第２軸５７を第２軸受部５５の挿通孔５６に挿通して、上部枠６は第１軸４２を中心に、下部枠７は第２軸５７を中心に閉じ位置と開き位置に回動自在にする。遊技盤ユニット２５の交換時には、軸心が略水平な第１軸４２を中心に開き位置に回動する上部枠６は、パチンコ機に隣接する付帯設備と干渉することがない。よって、上部枠６に設けられた装飾領域の意匠性の自由度を拡大することができる。また、遊技盤ユニット２５と一緒に上部枠６だけが取り外されるので、コストを削減できる。【選択図】図２
2008018052.tif 000002
【特許請求の範囲】
【請求項１】
遊技領域が形成された遊技盤を有する遊技盤ユニットと、前記遊技盤の盤面を視認可能にする透明板および透明板の周囲を覆うとともに装飾領域が上部に設けられた窓枠を備え、前記遊技盤ユニットが本体枠に取り付けられた遊技機において、
前記窓枠をコの字状の上部枠と下部枠とに分割するとともに、前記下部枠に前記透明板を一体に取り付け、前記上部枠を略水平な軸を中心に回動自在となるように前記遊技盤ユニットに軸着し、前記下部枠を略垂直な軸を中心に回動自在となるように前記本体枠に軸着したことを特徴とする遊技機。
【請求項２】
前記遊技盤ユニットは、前記遊技盤とこの遊技盤を保持する保持枠から構成されており、前記上部枠を前記遊技盤または前記保持枠に軸着したことを特徴とする請求項１記載の遊技機。
【請求項３】
遊技盤と、前記遊技盤の盤面を視認可能にする透明板および前記透明板の周囲を覆うとともに装飾領域が上部に設けられた窓枠とを備え、前記遊技盤が本体枠に取り付けられ、かつ前記窓枠が前記本体枠に着脱自在に軸着される遊技機において、
前記窓枠をコの字状の上部枠と下部枠とに分割するとともに、前記下部枠に前記透明板を一体に取り付け、前記上部枠を略水平な軸を中心に回動自在となるように前記本体枠に軸着し、前記下部枠を略垂直な軸を中心に回動自在となるように前記本体枠に軸着したことを特徴とする遊技機。
【請求項４】
前記上部枠および前記下部枠を前記遊技盤の前方に配置する際に、前記上部枠の一部と前記下部枠の一部とが重複する構成とし、この重複部分に前記上部枠と前記下部枠との相対的な位置決めを行う位置決め部を備えたことを特徴する請求項１ないし３いずれか記載の遊技機。
【発明の詳細な説明】
【技術分野】
【０００１】
本発明は、パチンコ店などの遊技場に設置して使用されるパチンコ機等の遊技機に関するものである。
【背景技術】
【０００２】
遊技場に設置される遊技機としてパチンコ機がある。このパチンコ機は、図柄可変表示装置や制御回路基板を有する支持体、及び遊技盤などが保持枠に嵌め込まれた遊技盤ユニットを備えたものがあり、この遊技盤ユニットは本体枠に取り付けられている。また、保持枠には前面扉が設けられており、前面扉は保持枠の一方の側部に設けられた略垂直な軸を中心に回動自在となっている。前面扉は、遊技を行う際には遊技盤の前面を覆っており、パチンコ機内部の遊技盤や制御基板等には触れることができないようになっている。このようなパチンコ機は、遊技者の興趣を高めるために遊技場で機種変更が行われる。この場合、パチンコ機の基本動作（パチンコ玉の打ち出しや入賞による払い出し）を行うための装置や本体枠などを共通部品として据え置き、遊技盤ユニットや前面扉を新たなものに交換することで機種変更を行っている。
【０００３】
また、特許文献１には、本体部（本体枠）に対して開閉自在に支持された扉体を機能別に分離し、それぞれを異なる支持部で支持する構成の遊技機が記載されている。この遊技機では、扉体の支持部への負担が軽減するので、重みのある外装部材で扉体を装飾することを可能にしている。
【特許文献１】特開２００４−８６９８号公報
【発明の開示】
【発明が解決しようとする課題】
【０００４】
しかしながら、遊技場に設置されるパチンコ機の数量は多く、パチンコ機の機種交換を行うために、パチンコ機１台毎に、本体枠から遊技盤ユニットと前面扉とを取り外すのは手間がかかり作業性が悪かった。さらに、遊技盤ユニットとともに前面扉を全て交換していたので、コストがかかるという問題もあった。また、特許文献１に記載の遊技機では、遊技盤は着脱自在に設けられているが、扉体は本体部に着脱自在とされていない。そのため、遊技機の機種変更を行う場合には、遊技盤の交換は可能であるが扉体の交換が出来ないために、扉体の意匠性の自由度が乏しかった。
【０００５】
本発明は、上記問題を解決するためになされたものであり、機種変更で交換する遊技盤や前面扉の意匠性の自由度を拡大でき、かつ機種変更時のコストを削減できる遊技機を提供することを目的とする。
【課題を解決するための手段】
【０００６】
上記目的を達成するために、遊技領域が形成された遊技盤を有する遊技盤ユニットと、前記遊技盤の盤面を視認可能にする透明板および透明板の周囲を覆うとともに装飾領域が上部に設けられた窓枠とを備え、前記遊技盤ユニットが本体枠に取り付けられた遊技機において、前記窓枠をコの字状の上部枠と下部枠とに分割するとともに、前記下部枠に前記透明板を一体に取り付け、前記上部枠を略水平な軸を中心に回動自在となるように前記遊技盤ユニットに軸着し、前記下部枠を略垂直な軸を中心に回動自在となるように前記本体枠に軸着したことを特徴とするものである。
【０００７】
また、前記遊技盤ユニットは、前記遊技盤とこの遊技盤を保持する保持枠から構成されており、前記上部枠を前記遊技盤または前記保持枠に軸着してもよい。
【０００８】
また、遊技盤と、前記遊技盤の盤面を視認可能にする透明板および透明板の周囲を覆うとともに装飾領域が上部に設けられた窓枠とを備え、前記遊技盤が本体枠に取り付けられ、かつ前記窓枠が前記本体枠に着脱自在に軸着される遊技機において、前記窓枠をコの字状の上部枠と下部枠とに分割するとともに、前記下部枠に前記透明板を一体に取り付け、前記上部枠を略水平な軸を中心に回動自在となるように前記本体枠に軸着し、前記下部枠を略垂直な軸を中心に回動自在となるように前記本体枠に軸着したことを特徴とするものである。
【０００９】
また、前記上部枠および前記下部枠を前記遊技盤の前方に配置する際に、前記上部枠の一部と前記下部枠の一部とが重複する構成とし、この重複部分に前記上部枠と前記下部枠との相対的な位置決めを行う位置決め部を備えることが好ましい。
【発明の効果】
【００１０】
本発明の遊技機は、遊技領域が形成された遊技盤を有する遊技盤ユニットと、遊技盤の盤面を視認可能にする透明板および透明板の周囲を覆うとともに装飾領域が上部に設けられた窓枠とを備え、遊技盤ユニットが本体枠に取り付けられた遊技機において、窓枠をコの字状の上部枠と下部枠とに分割するとともに、下部枠に透明板を一体に取り付け、上部枠を略水平な軸を中心に回動自在となるように遊技盤ユニットに軸着し、下部枠を略垂直な軸を中心に回動自在となるように本体枠に軸着したので、遊技盤ユニットおよび上部枠を交換する際に、遊技機に隣接する付帯設備と上部枠が干渉することがない。よって、交換時の作業性が向上するとともに、上部枠に設けられた装飾領域の意匠性の自由度が拡大し、興趣のある遊技機を提供できる。さらに、遊技盤ユニットとともに装飾領域が設けられた上部枠だけを交換できるので、コストを削減できる。
【００１１】
また、遊技盤ユニットは、遊技盤とこの遊技盤を保持する保持枠から構成されており、上部枠を遊技盤または保持枠に軸着するので、遊技機の設計の自由度が拡大する。
【００１２】
また、本発明の遊技機では、遊技盤と、遊技盤の盤面を視認可能にする透明板および透明板の周囲を覆うとともに装飾領域が上部に設けられた窓枠とを備え、遊技盤が本体枠に取り付けられ、かつ窓枠が本体枠に着脱自在に軸着される遊技機において、窓枠をコの字状の上部枠と下部枠とに分割するとともに、下部枠に透明板を一体に取り付け、上部枠を略水平な軸を中心に回動自在となるように本体枠に軸着し、下部枠を略垂直な軸を中心に回動自在となるように本体枠に軸着したので、遊技盤および上部枠を交換する際に、遊技機に隣接する付帯設備と上部枠とが干渉することがない。よって、交換時の作業性が向上するとともに、上部枠に設けられた装飾領域の意匠性の自由度が拡大し、興趣のある遊技機を提供できる。さらに、装飾領域が設けられた上部枠だけを交換することができるので、コストを削減できる。
【００１３】
また、上部枠および下部枠を遊技盤の前方に配置する際に、上部枠の一部と下部枠の一部とが重複する構成とし、この重複部分に上部枠と下部枠との相対的な位置決めを行う位置決め部を備えたので、上部枠と下部枠で遊技盤の前面を覆う際のガタつきを防止することができる。また、上部枠と下部枠の間に発生する隙間から不正部材が挿入されることも防止できる。
【発明を実施するための最良の形態】
【００１４】
図１に示すように、遊技機であるパチンコ機２は、本体枠３の内部に遊技盤４が配設されており、本体枠３の前面には前面扉５が設けられている。前面扉５は、遊技盤４の上部を覆う上部枠６と下部を覆う下部枠７とに分割されており、それぞれ開閉自在に取り付けられている。上部枠６および下部枠７は窓枠として機能し、透明板であるガラス１０が取り付けられている。そのため、前面扉５が閉じている状態のときには、遊技者や遊技場の作業者は、ガラス１０を通して遊技盤４の遊技領域４ａを流下していくパチンコ球を見ることはできるが、遊技盤４にはもちろんのこと本体枠３の内部にも触れることができないようになっている。
【００１５】
前面扉５の下方には、打球供給用の供給皿１１及びパチンコ球の打ち出し強さを調節する操作ハンドル１２が設けられている。遊技盤４のパチンコ球が打ち出される遊技領域４ａの略中央には、予め定められた入賞口へパチンコ球を入賞させるなどの所定入賞条件に基づいて、様々な図柄を液晶画面に変動表示させた後で、停止表示させる図柄可変表示装置１５が設けられている。図柄可変表示装置１５の下方には、始動入賞口２０、通常入賞口２１、アタッカ２２、アウト口２３等が設けられている。遊技盤４の略中央には、図柄可変表示装置１５を取り囲むようにセンター役物２４が設けられており、センター役物２４に形成された開口を介して、図柄可変表示装置１５を視認することができる。
【００１６】
遊技者は供給皿１１にパチンコ球を投入して遊技を開始する。投入されたパチンコ球は供給皿１１内に設けられた誘導路を経て球発射装置に導かれる。遊技者は、回動式の操作ハンドル１２を所定量回動して球発射装置の駆動を制御することで、パチンコ球を１個ずつ遊技領域４ａの上方に向けて打ち出すことができる。打ち出されたパチンコ球は遊技領域４ａの上方から流下する途中で各入賞口及びアタッカ２２のいずれかに入るか、あるいはアウト口２３から回収される。
【００１７】
図２に示すように、パチンコ機２は、本体枠３、前面扉５、遊技盤ユニット２５から構成されている。遊技盤ユニット２５は、遊技盤４、及び遊技盤４の裏面に固定される支持体３０、遊技盤４及び支持体３０を保持する保持枠３１から構成されている。遊技盤４の盤面中央には、パチンコ球を躍らせるステージを有するセンター役物２４が設けられる他に、遊技盤４の裏面へとパチンコ球を取り込んで入賞とさせる始動入賞口２０、通常入賞口２１及びアタッカ２２等の構造物が設けられる（図１参照）。なお、これら構造物の外側を金属製のガイドレール３３によって区画された領域が遊技領域４ａとなる。また、図示は省略してあるが、遊技領域４ａには複数の障害釘や風車等が適宜箇所に設けられている。なお、これら構造物は周知であるので、その記載については省略する。
【００１８】
支持体３０は、遊技領域４ａを流下したパチンコ球を所定の受け部へと誘導する誘導リブ（図示せず）を有している。また、この支持体２１にはセンター役物２４の開口と一致するように、図柄可変表示装置１５が設けられる他に、遊技の際の各種制御を行う制御回路装置（制御用の回路基板を含む）等が組み付けられる。なお、この制御回路装置には、機種毎に異なる（遊技性に関わる）制御情報を記憶したＲＯＭ、このＲＯＭに記憶された制御情報に基づいてランプやスピーカー等の装置を作動制御するＣＰＵ、及びＣＰＵにて処理された情報を一時記憶するＲＡＭ等を有するものである。
【００１９】
保持枠３１は略矩形状をしており、保持枠３１の内周には遊技盤４及び支持体３０を固定する際に、遊技盤４の背面の周縁が当接される遊技盤支持部材３４が設けられている。正面視（以下省略）で右側に設けられた遊技盤支持部材３４の上下部には、遊技盤４を遊技盤支持部材３４に当接させた状態で固定する係止部材３５が設けられている。係止部材３５は、遊技盤支持部材３４の前面に対して略垂直に設けられた軸（図示せず）を中心に回動自在に設けられており、係止部材３５を遊技盤４の右側上下部に設けられた係止孔３６に挿入した後、軸を中心に係止部材３５を略９０度回転させることで、遊技盤４の背面の周縁を遊技盤支持部材３４に当接させながら遊技盤４を保持枠３１に固定する。
【００２０】
また、保持枠３１の前面側上部の左右端には、上部枠６を回動自在に軸着する第１軸受部４０を備えている。第１軸受部４０は、保持枠３１の幅方向に貫通する軸受孔４１を有しており、後述する上部枠６に設けられた第１軸４２が挿入される。また、保持体２１の背面側の上部には、遊技盤ユニット２５を本体枠３に着脱させる際に遊技盤ユニット２５を支持する支持部材４５が、保持枠３１の幅方向に所定間隔で設けられている。支持部材４５は、図３に示すように、円柱状のシャフト部４５ａと、シャフト部４５ａの両端に一体的に形成された脚部４５ｂとから構成されている。遊技盤ユニット２５を本体枠３に支持させる時には、後述する受部材４６（図２参照）にシャフト部４５ａを載せて支持させる。
【００２１】
本体枠３は、パチンコ店等の遊技場の所定位置に固定され、パチンコ機２の基体となる部品である。この本体枠３には、図示はしないが、例えばパチンコ球の払い出しを行う払出し装置や、遊技中の演出を行うスピーカー等の音声装置や、ランプ等の発光装置等のパチンコ機の基本動作を行う装置が組み付けられる。また、本体枠３の下部には、前述のように、パチンコ球を受容する受け皿１１や、発射装置の打ち出し強さを調整する操作ハンドル１２が設けられている。
【００２２】
また、図２に示すように、本体枠３の上部には、遊技盤ユニット２５を着脱自在に組み付ける空間である組付け部３ａを備えている。組付け部３ａには、遊技盤ユニット２５の保持枠３１の背面の周縁を当接させるユニット支持部材５０が設けられている。ユニット支持部材５０の上部には、保持枠３１に設けられた支持部材４５を受けるフック状の受部材４６が設けられている。
【００２３】
また、ユニット支持部材５０の左右下部には、組付け部３ａに遊技盤ユニット２５を固定するための係止部材５１が設けられている。係止部材５１は保持枠３１に設けられている係止部材３５と同じ構成である。遊技盤ユニット２５を本体枠３に固定する方法としては、支持部材４５を受部材４６に載せて遊技盤ユニット２５を本体枠３に支持させてから、係止部材５１を保持枠３１の左右下部に設けられた係止孔５２に挿入し、軸を中心に係止部材５１を回転させることで遊技盤ユニット２５が組付け部３ａに固定させる。
【００２４】
また、組付け部３ａの左側面の下方には、図４にも示すように、前面扉５を構成する下部枠７を回動自在に軸着する第２軸受部５５が上下方向に所定の間隔で備えられている。第２軸受部５５は、略鉛直方向に挿通孔５６が形成されており、後述する下部枠７に設けられた第２軸５７が回動自在に挿入される。
【００２５】
図２に示すように、前面扉５は、透明板であるガラス１０と、このガラス１０の周囲を覆う上部枠６と下部枠７とから構成されており、ガラス１０にはその周縁を保護するためにガラス枠６０が嵌め込まれている。
【００２６】
上部枠６は、その前面に適当な色の透明または半透明な装飾ランプカバー６１、６２が設けられた装飾領域６３を有している。各装飾ランプカバー６１，６２の背後には、それぞれ１個以上の装飾ランプ（図示せず）が配されている。この装飾ランプは、入賞の有無や、抽選結果などの状態に応じて所定のパターンで点灯、消灯を行う。なお、装飾ランプカバー６１、６２の形状は、適宜に変更することが好ましい。また、装飾領域６３には、装飾ランプカバー６１，６２に限らず、遊技者の興趣を高めるような飾りなどの装飾を施してもよい。
【００２７】
また、上部枠６の左右の上端部には、上部枠６を保持枠３１に設けられた第１軸受部４０に回動自在に挿入する第１軸４２が、その軸心を略水平にして設けられている。図３にも示すように、上部枠６の左右の上端部には、矩形状の切欠き部６５が形成されている。切欠き部６５の側面には、図５に示す上部枠６に設けられた収納部６６と連通する連通穴６７が設けられている。そして、第１軸４２は、その一端を切欠き部６５に、他端を連通穴６７から収納部６６に配置している。なお、図５は保持枠３１に上部枠６が軸着された状態を示す。
【００２８】
図５に示すように、収納部６６に配置された第１軸４２の端部にはフランジ４２ａが設けられている。さらに、収納部６６には捩りバネ６８が設けられており、その一端は収納部６６の側壁に、他端はフランジ４２ａに当接されており、捩りバネ６８はフランジ４２ａを連通穴６７に向けて付勢している。これにより、第１軸４２は、切欠き部６５に一端部を突出した突出位置と、突出した第１軸４２を収納部６６に向けて押圧した際に、捩りバネ６８の付勢力に抗して第１軸４２が収納部６６に収納される収納位置との間で移動自在となっている。
【００２９】
また、図２に示すように、上部枠６の右側部には、上部枠６及び下部枠７の開放を規制する周知のロック装置７０が設けられている。上部枠６の前面に露呈する鍵穴に鍵を差し込んで回転させることで、上部枠６が開き位置へ移動することを規制するロック状態と、開き位置へ移動することを解除するアンロック状態とに切り替える。
【００３０】
上部枠６には、ガラス枠６０の上部が嵌め込まれるガラス用開口７２を備えている。このガラス用開口７２は、ガラス枠６０の上半分と略同形状をしており、上部枠６及び下部枠７で遊技領域４ａの前面を覆う際にガラス枠６０が嵌め込まれる。また、ガラス用開口７２を形成する上部枠６の下端部には、上部枠６および下部枠７を開き位置から閉じ位置に回動させた際に、上部枠６および下部枠７の一部を重複させて上部枠６および下部枠７が相対的な位置決めを行うために段差部７３と位置決め突起７４が設けられている。段差部７３は、上部枠６の背面側の一部を切り取った段差形状をしており、位置決め突起７４は段差部７３から突出して設けられている。
【００３１】
下部枠７は、図４にも示すように、ガラス枠６０の下面及び下半分の両側面を固定し、下部枠７にガラス１０を一体に取り付けている。下部枠７の背面で、一方の側部には下部枠７を本体枠３に回動自在に軸着する第２軸５７が、その軸心を略垂直にして設けられている。第２軸５７は上下方向に所定間隔で２つ設けられている。第２軸５７は、本体枠３に設けられた第２軸受部５６に挿入され、下部枠７を本体枠３に第２軸５７を中心に回動自在に取り付ける。また、下部枠７の上端部には、上部枠６および下部枠７を開き位置から閉じ位置に回動させた際に、上部枠６と下部枠７の一部を重複させ、これらの相対的な位置決めを行うため、下部枠７の前面側の一部を切り取った段差部７５と、この段差部７５に形成された位置決め穴７６とが設けられている。なお、位置決め部としては、上部枠６に設けられた段差部７３および位置決め突起７４と、下部枠７に設けられた段差部７５および位置決め孔７６によって構成されている。また、位置決め部としては、上記構成のものに限らず、上部枠６と下部枠７と閉じ位置にした際に、上部枠６と下部枠７の一部が重複し、相対的に位置決めされるような構成であればよい。
【００３２】
次に、上記のように構成されたパチンコ機２の作用について説明する。図２に示すように、作業者が本体枠３に遊技盤ユニット２５と前面扉５とを取り付ける時には、支持体３０が固定された遊技盤４を保持枠３１に固定して遊技盤ユニット２５を作成する。この時、遊技盤４の背面周縁を遊技盤固定部材３４に当接させ、保持枠３１に設けられた係止部材３５を係止孔３６に挿入し、軸を中心に係止部材３５を略９０度回転させることによって、遊技盤４（支持体含む）は保持枠３１に固定され、遊技盤ユニット２５が完成する。
【００３３】
そして、遊技盤ユニット２５を本体枠３に固定する場合には、保持枠３１に設けられた支持部材４５を組付け部３ａに設けられた受部材４６に載せる。これにより、遊技盤ユニット２５は組付け部３ａで支持される。そして、作業者は保持枠３１に設けられた係止孔５２に組付け部３ａに設けられた係止部材５１を挿入し、軸を中心に係止部材５１を略９０度回転させることで遊技盤ユニット２５を本体枠３に固定する。なお、遊技盤ユニット２５を本体部３に固定する際に、支持部材４５を受部材４６に載せて遊技盤ユニット２５を支持させたので、作業者が遊技盤ユニット２５を持ち上げている時間を少なくできるため、作業者の負担を軽減することができるとともに、作業性を向上することができる。
【００３４】
本体枠３に遊技盤ユニット２５を固定すると、本体枠３に下部枠７を軸着する。図４に示すように、作業者は、下部枠７に設けられた第２軸５７を本体枠３に設けられた第２軸受部５５の挿通孔５６に上方から挿入する。これにより、図７に示すように、下部枠７は第２軸受部５５によって第２軸５７を中心に左右方向に回動自在に軸着される。
【００３５】
次に、上部枠６を保持枠３１に軸着する。上部枠６を軸着する方法としては、切欠き部６５に突出している第１軸４２の端部を収納部６６方向に押圧し、第１軸４２を突出位置から収納位置にする。そして、第１軸４２を収納位置にしたままの状態で、保持枠３１に設けられた第１軸受部４０に切欠き部６５を嵌め込むように上部枠６を配置する。この時に、収納位置にある第１軸４２が第１軸受部４０に設けられた軸受孔４１に合わせられると、捩りバネ６８の付勢力によって第１軸４２が収納位置から突出位置に移動し、第１軸４２が軸受孔４１に進入する。これにより、図７に示すように、上部枠６は第１軸受部４０によって第１軸４２を中心に跳ね上げ方向に回動自在に軸着される。なお、図１に示すパチンコ機２は、上部枠６及び下部枠７を閉じ位置に回動させた状態、つまり前面扉５を閉じた状態を示しており、図７に示すパチンコ機２は、上部枠６および下部枠７を開き位置に回動させた状態、つまり前面扉５を開いた状態を示している。
【００３６】
また、前面扉５を図７に示す開き位置から図１に示す閉じ位置にする場合は、初めに下部枠７を開き位置から閉じ位置に回動させる。次に上部枠６を開き位置から閉じ位置に回動させる。この時、図６に示すように、上部枠６および下部枠７に設けられた段差部７３，７５が互いに嵌合するとともに、位置決め突起７４が位置決め孔７６に挿入されることで、上部枠６及び下部枠７の相対的な位置決めが行われる。これにより、上部枠６と下部枠７によって本体枠３の前面を確実に塞ぐことができる。さらに、上部枠６と下部枠７の間の隙間から不正部材が挿入されることも防止できる。そして、鍵孔に鍵が差し込み回転させることで、ロック装置７０によって上部枠６および下部枠７が本体枠３に固定されるロック状態となる。これにより、遊技者や作業者は、遊技盤４や本体枠３内の制御装置などに触れることができないので不正行為を防止できる。
【００３７】
パチンコ機２で機種変更を行う場合には、作業者は鍵穴に鍵を挿入し、回転させてロック装置７０をロック状態からアンロック状態にする。そして、第１軸４２を中心に、上部枠６を閉じ位置から開き位置に回動させる。次に、第２軸５７を中心に、下部枠７を閉じ位置から開き位置に回動させる（図７参照）。そして、係止部材５１を回転させ、遊技盤ユニット２５を本体枠３から取り外す。この時、保持枠３１に上部枠６が取り付けられているので、遊技盤ユニット２５と一緒に上部枠６を取り外すことができる。よって、作業性が向上する。さらに、軸心が略水平に配置された第１軸４２を中心に、上部枠６を跳ね上げる方向に回動させて遊技盤ユニット２５および上部枠６の交換を行ったので、パチンコ機２に隣接する球貸出し機などの付帯設備に上部枠６に設けられた装飾領域６３が干渉することがない。よって、装飾領域６３や遊技盤４の意匠性の自由度を拡大でき、交換作業の作業性が向上する。また、遊技盤ユニット２５の他に前面扉５の上部枠６だけを交換するので、機種変更時のコストを削減することができる。
【００３８】
遊技盤ユニット２５及び上部枠６が取り外されると、新たに用意された遊技盤ユニット２５を係止部材５１によって本体枠３に固定する。遊技盤ユニット２５が本体枠３に固定されると、第１軸４２を中心に上部枠６を回動自在となるように保持枠３１に軸着する。従って、パチンコ機２の機種変更が容易に行うことができる。
【００３９】
なお、本実施形態では、上部枠６を保持枠３１に軸着したが、これに限らず、遊技盤４に第２軸部５７を設け、上部枠６を遊技盤４に軸着させてもよい。この場合も、上部枠６は遊技盤ユニット２５に軸着されるので、遊技盤ユニット２５が取り外された場合に上部枠６も一緒に取り外される。よって、交換作業の作業性が向上する。
【００４０】
また、上記実施形態では、遊技盤ユニット２５を本体枠３に固定した後で上部枠６の取付を行ったが、これに限らず、保持枠３１に予め上部枠６を軸着しておき、上部枠６と一緒に遊技盤ユニット２５を本体枠３に固定してもよい。
【００４１】
また、上記実施形態では、遊技盤ユニット２５を構成する保持枠３１に上部枠６を軸着し、遊技盤ユニット２５と一緒に交換可能なパチンコ機２を用いて説明したが、これ代えて、上部枠６を本体枠３に着脱自在に軸着してもよい。この場合のパチンコ機２の本体枠８１を図８に示す。なお、上記実施形態と同じ構成の部材は同じ符号を付し、その説明は省略する。
【００４２】
本体枠８１の上部の左右端には、前面側に突出した第１軸受部８２が設けられている。第１軸受部８２には、本体枠８１の幅方向に貫通した軸受孔８３が設けられている。上部枠６を本体枠８１に軸着させる場合は、第１軸４２を突出位置から収納位置に移動させ、
本体枠８１に設けられた第１軸受部８２の間に上部枠６の切欠き部６５を嵌め込むように上部枠６を配置する。そして、収納位置にある第１軸４２と軸受孔８３が合うと、第１軸４２が収納位置から突出位置に移動し、第１軸４２の端部が軸受孔８３に進入する。これにより、上部枠６は第１軸受部８２によって、第１軸４２を中心に跳ね上げ方向に回動自在に軸着される。そのため、機種変更時に遊技盤ユニット２５や上部枠６を交換する際に、パチンコ機２に隣接する付帯設備と上部枠６とが干渉することがなくなり、上部枠６に設けられた装飾領域６３の意匠性の自由度を拡大することができる。
【００４３】
また、上部枠６を本体枠３から取り外す場合には、外側から軸受孔８３に棒状の治具を挿入し、軸受孔８３に進入している第１軸４２の端部を収納部６６方向に押圧する。そして、第１軸４２を突出位置から収納位置に移動させて上部枠６を上下方向、または前方のいずれかにずらす。これにより、第１軸４２と貫通孔８３の位置がずれるので、上部枠６が本体枠８１から取り外せる。これにより、パチンコ機２の機種変更を行う際には、遊技盤ユニット２５、上部枠６、下部枠７の中から交換する部材を適宜に選択することができる。従って、上部枠６の意匠性の自由度を拡大することができる。
【図面の簡単な説明】
【００４４】
【図１】本発明を用いたパチンコ機の外観を示す正面斜視図である。
【図２】本発明を用いたパチンコ機の構成を示す分解斜視図である。
【図３】上部枠の第１軸と保持枠の第１軸受部４０の構成を示す斜視図である。
【図４】下部枠の第２軸と本体枠の第２軸受部の構成を示す斜視図である。
【図５】保持枠に軸着された上部枠を示す説明図である。
【図６】位置決め部の構成を示す断面図である。
【図７】上部枠及び下部枠が開き位置の状態を示すパチンコ機の外観斜視図である。
【図８】第１軸受部を本体枠に設けた構成を示す外観斜視図である。
【符号の説明】
【００４５】
２  パチンコ機（遊技機）
３  本体枠
４  遊技盤
６  上部枠（窓枠）
７  下部枠（窓枠）
１０  ガラス（透明板）
２５  遊技盤ユニット
３１  保持枠
４２  第１軸（略水平な軸）
５７  第２軸（略垂直な軸）
６３  装飾領域
７３，７５  段差部（位置決め部）
７４  位置決め突起（位置決め部）
７６  位置決め孔（位置決め部）
【図１】
2008018052.tif 000003
【図２】
2008018052.tif 000004
【図３】
2008018052.tif 000005
【図４】
2008018052.tif 000006
【図５】
2008018052.tif 000007
【図６】
2008018052.tif 000008
【図７】
2008018052.tif 000009
【図８】
2008018052.tif 000010